(57)【要約】【課題】結束バンドで強く縛ったとしても変形が生じず、あるいは輸送中の揺れ等により変形が生じることが無く、常に結束バンドの縛力を維持させることのできる結束式梱包装置を提供する。【解決手段】本発明に係る結束式梱包装置１００は、被梱包物が載置される底蓋部１と、被梱包物の側上面を覆う側上面被覆部２と、底蓋部１と側上面被覆部２とを結束する結束バンド３とを備えおり、側上面被覆部２に連接されているフラップ２ｄの所定の位置に補強部４が設けられている。結束バンド３を用いた梱包時には、補強部４は側上面被覆部２と内接する。【選択図】        図１
2004307047.tif 000002
【特許請求の範囲】
【請求項１】
被梱包物が載置される底蓋部と、前記被梱包物の側上面を覆う側上面被覆部と、当該底蓋部と当該側上面被覆部とを結束する結束バンドとを備える結束式梱包装置において、
前記側上面被覆部は、
結束時に前記結束バンドが周設される第一の側面部と、
前記第一の側面部と連接されている第二の側面部と、
前記第二の側面部の上端辺において連接されている第一のフラップと、
前記第二の側面部の上端辺近傍に設けられ、梱包時に前記結束バンドと平行に延び、かつ前記第一の側面部と内接する補強部とを、
備えていることを特徴とする結束式梱包装置。
【請求項２】
前記補強部は、前記第二の側面部の上端辺からの所定の領域の前記第一のフラップを折り返すことにより形成される、
ことを特徴とする請求項１に記載の結束式梱包装置。
【請求項３】
前記第一の側面部の上端辺において、当該上端辺の両端部を切り欠いて連接されている第二のフラップを、さらに備えている、
ことを特徴とする請求項１または請求項２に記載の結束式梱包装置。
【請求項４】
前記底蓋部の側面部には、前記結束バンドが貫通する開口部が穿設されている、
ことを特徴とする請求項１ないし請求項３のいずれかに記載の結束式梱包装置。
【発明の詳細な説明】
【０００１】
【発明の属する技術分野】
この発明は、梱包装置に係る発明であって、特に、結束バンドにより底蓋部と側上面被覆部とを結束させることができる、結束式梱包装置に係る発明である。
【０００２】
【従来の技術】
底蓋部と側上面被覆部とを結束バンドにより、結束させることができる梱包装置が従来より用いられている（例えば、特許文献１、２参照）。
【０００３】
【特許文献１】
特開２００１−１５８４６８号公報（第３図等）
【特許文献２】
特開平８−２１７０５６号公報（第５図等）
【０００４】
【発明が解決しようとする課題】
しかし、従来の梱包装置では、結束バンドにより側上面被覆部を強く縛った場合に、結束バンドの周設方向に加わる縛力により、当該方向の強度が弱い側上面被覆部の角が崩れ、結果として当該側上面被覆部の型崩れが発生していた。
【０００５】
また、従来の梱包装置は、上述したように側上面被覆部における結束バンドの周設方向（つまり、側上面被覆部の側面部の法線方向）の強度は弱く、例えば当該梱包装置を輸送する際の揺れにより側上面被覆部が撓んでしまい、当該変形により結束バンドの締まりが弱くなるという問題もあった。
【０００６】
そこで、この発明は、上記問題に鑑みてなされたものであり、例え結束バンドで強く縛ったとしても変形が生じず、あるいは輸送中の揺れ等により変形が生じることが無く、常に結束バンドの縛力を維持させることのできる結束式梱包装置を提供することを目的とする。
【０００７】
【課題を解決するための手段】
上記の目的を達成するために、本発明に係る請求項１に記載の結束式梱包装置は、被梱包物が載置される底蓋部と、前記被梱包物の側上面を覆う側上面被覆部と、当該底蓋部と当該側上面被覆部とを結束する結束バンドとを備える結束式梱包装置において、前記側上面被覆部は、結束時に前記結束バンドが周設される第一の側面部と、前記第一の側面部と連接されている第二の側面部と、前記第二の側面部の上端辺において連接されている第一のフラップと、前記第二の側面部の上端辺近傍に設けられ、梱包時に前記結束バンドと平行に延び、かつ前記第一の側面部と内接する補強部とを、備えている。
【０００８】
【発明の実施の形態】
図１は、本発明に係る結束式梱包装置の実施の形態を示す斜視図である。
【０００９】
図１から分かるように、結束式梱包装置１００は、図示されていない被梱包物が載置される底蓋部１と、底蓋部１に嵌合されており、被梱包物の側上面を覆う側上面被覆部２と、梱包時に底蓋部１と側上面被覆部２とを結束するための結束バンド３とで構成されている。ここで、底蓋部１および側上面被覆部２は、段ボールにより形成されている。また、結束バンド３はひも状のバンドである。
【００１０】
底蓋部１は凹状を形成しており、側面部には結束バンド３が貫通するための開口部１ａが穿設されている。ここで、開口部１ａは、底蓋部１の一の側面部に２つ穿設されており、当該側面部に対面する他の側面部にも２つの開口部１ａが穿設されている。
【００１１】
また、側上面被覆部２は、結束バンド３が輪状に周設される、２枚の互いに対面している第一の側面部２ａと、第一の側面部２ａに連接されている、２枚の互いに対面している第二の側面部２ｂとを有しており、当該連接部を略直角に折り曲げることにより、側上面被覆部２の側面部を構成している。また、各第一の側面部２ａの上端辺においてフラップ２ｃがそれぞれ連接されており、各第二の側面部２ｂの上端部においてフラップ２ｄがそれぞれ連接されている。
【００１２】
当該各側面部２ａ，２ｂと各フラップ２ｃ，２ｄの連接部を略直角に折り曲げることにより、側上面被覆部２の上面部を構成している。
【００１３】
ここで、図１から分かるように、被梱包物を覆うために、第一の側面部２ａとの連接部でフラップ２ｃを略直角に折り曲げたとき、各フラップ２ｃの一の辺は互いに近接若しくは当接することとなる。しかし、各フラップ２ｃの他の辺は、各第二の側面部２ｂの上端辺と所定の距離だけ隔てられる。
【００１４】
一方、各第二の側面部２ｂと連接されている各フラップ２ｄにおいて、当該連接部からの所定の領域に折り返し部分を設けることにより、補強部４が形成されている。
【００１５】
これにより、被梱包物を覆うために、第二の側面部２ｂとの連接部でフラップ２ｄを略直角に折り曲げたとき、各フラップ２ｄの一の辺は互いに近接若しくは当接するとともに、補強部４は、各フラップ２ｃの他の辺と第二の側面部２ｂの上端辺との間に形成されている空間に挿入され、補強部４の両端は各第一の側面部２ａと内接する。
【００１６】
図２に、側上面被覆部２の展開図を示す。
【００１７】
図２が示すように、第一の側面部２ａと第二の側面部２ｂとは交互に連接されており、各第一の側面部２ａの上端辺には凸状に（つまり、当該上端辺の両端部を切り欠いて）フラップ２ｃが連接されており、各第二の側面部２ｂの上端辺には、当該上端辺からの所定の領域に折り返し形状を設けることにより補正部４が形成されたフラップ２ｄが連接されている。
【００１８】
梱包時には、フラップ２ｃの側端辺とフラップ２ｄの側端辺との間の領域に、フラップ２ｄが有する補強部４が挿入される。
【００１９】
次に、図１を参照しつつ、本実施の形態に係る結束式梱包装置１００の梱包の方法について説明する。
【００２０】
まず、底蓋部１の側面部に穿設されている開口部１ａに結束バンド３の一方端を貫通させ、他方端を今貫通させた開口部１ａに対面して、当該底蓋部１の他の側面部に穿設されている開口部１ａに貫通させる。当該状態において、底蓋部１の凹部に図示されていない被梱包物を載置する。
【００２１】
次に、図２で示されている、側上面被覆部２の第一の側面部２ａと第二の側面部２ｂとの連接部を略直角に折り曲げ、第一の側面部２ａの側端辺と第二の側面部２ｂの側端辺とを連接させることにより、直方体化した側上面被覆部材２を形成する。そして、当該直方体化した側上面被覆部材２を底蓋部１に嵌合させ、図示されていない被梱包物の側面部を覆う。
【００２２】
次に、各フラップ２ｃを第一の側面部２ａとの連接部において略直角に折り曲げ、図示していない被梱包物の上面部を覆う。このとき、各フラップの２ｃと第二の側面部２ｂとの間には、所定の幅の空間が存する。
【００２３】
次に、各フラップ２ｄの所定の領域を折り曲げることにより形成された補強部４を、各フラップの２ｃと第二の側面部２ｂとにより形成された所定の幅の空間に挿入させる。
【００２４】
次に、底蓋部１の側面部の開口部１ａから貫通している結束バンド３を、第一の側面部２ａの表面上を周設させ、折り曲げられたフラップ２ｃの上面において縛る。
【００２５】
このとき、補強部１０の両端が第一の側面部２ａと内接しているので、当該補強部１０が結束バンド３による結束に対して補強となり、結束バンド３を強く縛ったとしても、側上面被覆部２の角が崩れることはない。よって、側上面被覆部２の直方体形状が変形することを抑制することができる。
【００２６】
最後に、結束バンド３を縛った後、各フラップ２ｄを閉じて被梱包物の上面を完全に覆う。当該梱包が完成した状態の結束式梱包装置１００の一部を示した断面図を図３に示す。結束バンド３を縛ったときに側上面被覆部２の型崩れを防止する補強部４が、Ｖ字型の形状で梱包内部に差し込まれている様子が分かる。
【００２７】
本実施の形態に係る結束式梱包装置１００は、梱包時に、第一の側面部２ａに内接する補強部４が設けられているので、第一の側面部２ａの法線方向（つまり、結束バンド３の周設方向）に対する強度を増すことができ、梱包時に結束バンド３を強く縛ったとしても、側上面被覆部２の変形を抑制することができ、常に結束バンド３の側上面被覆部２等に対する縛力を維持することができる。
【００２８】
また、補強部４による側上面被覆部２の強度向上により、輸送時の揺れ等で側上面被覆部２が変形を生じることもなくなるので、当該変形による結束バンド３の縛力が低下することもなくなる。
【００２９】
また、本実施の形態に係る結束式梱包装置１００では、フラップ２ｄの一部を折り曲げることにより補強部４が形成されているので、余分な部材を要することなく、簡易な構成により補強部４を設けることができる。
【００３０】
また、第一の側面部２ａの上端辺において、凸状のフラップ２ｃが連接されているので、側上面被覆部２の上面における結束バンド３の周設を容易ならしめることができ、また、フラップ２ｃは凸状であるので、当該フラップ２ｃを閉じた状態にしても、補強部４を当該側上面被覆部２の内部に容易に挿入することができる。
【００３１】
また、底蓋部１の側面部には、開口部１ａが穿設されているので、当該開口部１ａに結束バンド３を貫通させることにより、結束バンド３を当該位置で固定することができ、結束後に結束バンド３の周設位置がずれることがない。
【００３２】
なお、本実施の形態では、フラップ２ｄを折り返して補強部４を形成する場合について言及したが、第二の側面部２ｂの上端辺近傍に別部材として補強部４を設けてもかまわない。
【００３３】
【発明の効果】
本発明の請求項１に記載の結束式梱包装置は、被梱包物が載置される底蓋部と、前記被梱包物の側上面を覆う側上面被覆部と、当該底蓋部と当該側上面被覆部とを結束する結束バンドとを備える結束式梱包装置において、前記側上面被覆部は、結束時に前記結束バンドが周設される第一の側面部と、前記第一の側面部と連接されている第二の側面部と、前記第二の側面部の上端辺において連接されている第一のフラップと、前記第二の側面部の上端辺近傍に設けられ、梱包時に前記結束バンドと平行に延び、かつ前記第一の側面部と内接する補強部とを、備えているので、結束バンドを用いて梱包したときには、前記補強部が側上面被覆部材の型崩れを防止する。したがって、結束バンドを強く縛ることができる。また、本発明の結束式梱包装置の搬送中に揺れが生じたとしても、補強部が支えとなり、側上面被覆部が撓むことがない。よって、結束バンドの縛まりが緩まることもない。
【図面の簡単な説明】
【図１】本発明に係る結束式梱包装置の構成を示す斜視図である。
【図２】側上面被覆部の展開図である。
【図３】結束した結束式梱包装置の一部を示す断面図である。
【符号の説明】
１  底蓋部、２  側上面被覆部、３  結束バンド、４  補強部、１ａ  開口部、２ａ  第一の側面部、２ｂ  第二の側面部、２ｃ，２ｄ  フラップ、１００  結束式梱包装置。
【図１】
2004307047.tif 000003
【図２】
2004307047.tif 000004
【図３】
2004307047.tif 000005